(57)【要約】【課題】利便性良好にレジューム再生を行う。【解決手段】ディスクプレイヤ１のＲＡＭ５は、再生された光ディスク１２の再生位置を示す再生位置情報を含むレジューム情報を載置部毎に格納するレジューム情報記憶部５２を備え、ＭＰＵ４は、交換可能な光ディスク１２に対応するレジューム情報を破棄する条件である破棄条件を設定する破棄条件設定部４１と、再生を行う旨の操作入力が受け付けられた場合に、再生位置に載置されている１の光ディスク１２の再生を行う再生実行部４７と、再生を行う旨の操作入力が受け付けられた場合に、１の光ディスク１２に対応するレジューム情報が格納されているか否かを判定する有無判定部４３と、レジューム情報が格納されていると判定された場合に、破棄条件設定部４１によって設定された条件に従って、レジューム情報を破棄する破棄実行部４６と、を備えている。【選択図】図５
2008226344.tif 000002
【特許請求の範囲】
【請求項１】
光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置であって、
再生された光ディスクの再生位置を示す再生位置情報及び光ディスクを識別する情報であるディスク識別情報を含むレジューム情報を前記載置部毎に格納するレジューム情報記憶手段と、
交換可能な光ディスクに対応するレジューム情報を、予め設定された第１条件を満たす場合に破棄するか、又は、予め設定され、第１条件とは相違する第２条件を満たす場合に破棄するか、を示す破棄条件を設定する破棄条件設定手段と、
外部からの再生を行う旨の操作入力を受け付けて、再生を行う旨の操作入力が受け付けられた場合に、予め設定された再生位置に載置されている１の光ディスクの再生を行う再生実行手段と、
前記再生実行手段によって再生を行う旨の操作入力が受け付けられた場合に、前記１の光ディスクに対応するレジューム情報が前記レジューム情報記憶手段に格納されているか否かを判定する有無判定手段と、
前記有無判定手段によってレジューム情報が格納されていると判定された場合に、前記再生実行手段によって再生処理が開始される前に、前記破棄条件設定手段によって設定された条件に従って、レジューム情報を破棄する破棄実行手段と、
光ディスクが交換可能位置に載置された時間である交換位置時間を計測する時間計測手段と、
前記交換位置時間が予め設定された所定時間以上である場合に、前記第１条件を満たすと判定する第１判定手段と、
前記有無判定手段によって前記１の光ディスクに対応するレジューム情報が格納されていると判定された場合に、前記１の光ディスクからディスク識別情報を読み出す識別情報取得手段と、
前記識別情報取得手段によって取得されたディスク識別情報が、前記レジューム情報記憶手段に格納されているディスク識別情報と一致しない場合に、前記第２条件を満たすと判定する第２判定手段と、
を備え、
前記破棄条件設定手段は、外部からの操作入力を受け付けて、受け付けられた操作入力に基づいて前記破棄条件を設定することを特徴とする光ディスク再生装置。
【請求項２】
光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置であって、
再生された光ディスクの再生位置を示す再生位置情報及び光ディスクを識別する情報であるディスク識別情報を含むレジューム情報を前記載置部毎に格納するレジューム情報記憶手段と、
交換可能な光ディスクに対応するレジューム情報を、予め設定された第１条件を満たす場合に破棄するか、又は、予め設定され、第１条件とは相違する第２条件を満たす場合に破棄するか、を示す破棄条件を設定する破棄条件設定手段と、
外部からの再生を行う旨の操作入力を受け付けて、再生を行う旨の操作入力が受け付けられた場合に、予め設定された再生位置に載置されている１の光ディスクの再生を行う再生実行手段と、
前記再生実行手段によって再生を行う旨の操作入力が受け付けられた場合に、前記１の光ディスクに対応するレジューム情報が前記レジューム情報記憶手段に格納されているか否かを判定する有無判定手段と、
前記有無判定手段によってレジューム情報が格納されていると判定された場合に、前記再生実行手段によって再生処理が開始される前に、前記破棄条件設定手段によって設定された条件に従って、レジューム情報を破棄する破棄実行手段と、
を備えることを特徴とする光ディスク再生装置。
【請求項３】
光ディスクが交換可能位置に載置された時間である交換位置時間を計測する時間計測手段と、
前記交換位置時間が予め設定された所定時間以上である場合に、前記第１条件を満たすと判定する第１判定手段と、
を備えることを特徴とする請求項２に記載の光ディスク再生装置。
【請求項４】
前記有無判定手段によって前記１の光ディスクに対応するレジューム情報が格納されていると判定された場合に、前記１の光ディスクからディスク識別情報を読み出す識別情報取得手段と、
前記識別情報取得手段によって取得されたディスク識別情報が、前記レジューム情報記憶手段に格納されているディスク識別情報と一致しない場合に、前記第２条件を満たすと判定する第２判定手段と、
を備えることを特徴とする請求項２又は請求項３に記載の光ディスク再生装置。
【請求項５】
前記破棄条件設定手段は、外部からの操作入力を受け付けて、受け付けられた操作入力に基づいて、前記破棄条件を設定することを特徴とする請求項２〜請求項４のいずれかに記載の光ディスク再生装置。
【発明の詳細な説明】
【技術分野】
【０００１】
本発明は、光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置に関する。
【背景技術】
【０００２】
光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置が知られている。この種の光ディスク再生装置において、ディスクチェンジャに載置されている複数の光ディスクの内、予め設定された位置に載置された１の光ディスクを再生し、その再生途中で一旦再生を停止して他の光ディスクを再生した後に、前記１の光ディスクを再度再生する場合に、上記１の光ディスクの再生は、その最初の部分から開始される。
【０００３】
従って、１の光ディスクを再生し、その再生途中で一旦再生を停止して他の光ディスクを再生した後に、前記１の光ディスクを再度再生する際に、前記１の光ディスクの前回再生を停止した位置から再生させたい場合には、前回再生した部分を早送りするか、又は、最初の部分から前回再生を停止した部分までやむを得ず再生する必要があり、早送りすると、その操作が煩雑であるという問題があり、一方、最初の部分から前回再生を停止した部分までやむを得ず再生すると、その間の時間が無駄であるという問題があった。
【０００４】
そこで、１の光ディスクを再生し、その再生途中で一旦再生を停止して他の光ディスクを再生した後に、前記１の光ディスクを再度再生する場合に、前記１の光ディスクの前回再生を停止した位置から再生させることを可能とするレジューム機能を備えたレジューム再生装置が提案されている（特許文献１参照）。
【特許文献１】特開平１０−２４１３４４号公報
【発明の開示】
【発明が解決しようとする課題】
【０００５】
しかしながら、上記レジューム再生装置においてレジューム再生（＝前回再生が停止された位置から再生を開始する再生処理）を実行する場合には、光ディスクが交換された可能性を考慮して、前回再生を停止した光ディスクと同一の光ディスクであるか否かを判別する必要があるため、レジューム再生処理では、通常の再生を行う場合と比較して、再生開始までに時間を要する場合があった。
【０００６】
上記の課題に鑑みて、本発明は、利便性良好にレジューム再生を行うことの可能な光ディスク再生装置を提供することを目的としている。
【課題を解決するための手段】
【０００７】
上記目的を達成するために請求項１に記載の光ディスク再生装置は、光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置であって、再生された光ディスクの再生位置を示す再生位置情報及び光ディスクを識別する情報であるディスク識別情報を含むレジューム情報を前記載置部毎に格納するレジューム情報記憶手段と、交換可能な光ディスクに対応するレジューム情報を、予め設定された第１条件を満たす場合に破棄するか、又は、予め設定され、第１条件とは相違する第２条件を満たす場合に破棄するか、を示す破棄条件を設定する破棄条件設定手段と、外部からの再生を行う旨の操作入力を受け付けて、再生を行う旨の操作入力が受け付けられた場合に、予め設定された再生位置に載置されている１の光ディスクの再生を行う再生実行手段と、前記再生実行手段によって再生を行う旨の操作入力が受け付けられた場合に、前記１の光ディスクに対応するレジューム情報が前記レジューム情報記憶手段に格納されているか否かを判定する有無判定手段と、前記有無判定手段によってレジューム情報が格納されていると判定された場合に、前記再生実行手段によって再生処理が開始される前に、前記破棄条件設定手段によって設定された条件に従って、レジューム情報を破棄する破棄実行手段と、光ディスクが交換可能位置に載置された時間である交換位置時間を計測する時間計測手段と、前記交換位置時間が予め設定された所定時間以上である場合に、前記第１条件を満たすと判定する第１判定手段と、前記有無判定手段によって前記１の光ディスクに対応するレジューム情報が格納されていると判定された場合に、前記１の光ディスクからディスク識別情報を読み出す識別情報取得手段と、前記識別情報取得手段によって取得されたディスク識別情報が、前記レジューム情報記憶手段に格納されているディスク識別情報と一致しない場合に、前記第２条件を満たすと判定する第２判定手段と、を備え、前記破棄条件設定手段が、外部からの操作入力を受け付けて、受け付けられた操作入力に基づいて前記破棄条件を設定することを特徴としている。
【０００８】
請求項２に記載の光ディスク再生装置は、光ディスクが載置される複数の載置部を有し、少なくとも１の載置部に載置された光ディスクを交換可能に構成されたディスクチェンジャを備え、前記複数の光ディスクの内、予め設定された位置に載置された１の光ディスクに格納された情報を再生する光ディスク再生装置であって、再生された光ディスクの再生位置を示す再生位置情報及び光ディスクを識別する情報であるディスク識別情報を含むレジューム情報を前記載置部毎に格納するレジューム情報記憶手段と、交換可能な光ディスクに対応するレジューム情報を、予め設定された第１条件を満たす場合に破棄するか、又は、予め設定され、第１条件とは相違する第２条件を満たす場合に破棄するか、を示す破棄条件を設定する破棄条件設定手段と、外部からの再生を行う旨の操作入力を受け付けて、再生を行う旨の操作入力が受け付けられた場合に、予め設定された再生位置に載置されている１の光ディスクの再生を行う再生実行手段と、前記再生実行手段によって再生を行う旨の操作入力が受け付けられた場合に、前記１の光ディスクに対応するレジューム情報が前記レジューム情報記憶手段に格納されているか否かを判定する有無判定手段と、前記有無判定手段によってレジューム情報が格納されていると判定された場合に、前記再生実行手段によって再生処理が開始される前に、前記破棄条件設定手段によって設定された条件に従って、レジューム情報を破棄する破棄実行手段と、を備えることを特徴としている。
【０００９】
請求項３に記載の光ディスク再生装置は、請求項２に記載の光ディスク再生装置であって、光ディスクが交換可能位置に載置された時間である交換位置時間を計測する時間計測手段と、前記交換位置時間が予め設定された所定時間以上である場合に、前記第１条件を満たすと判定する第１判定手段と、を備えることを特徴としている。
【００１０】
請求項４に記載の光ディスク再生装置は、請求項２又は請求項３に記載の光ディスク再生装置であって、前記有無判定手段によって前記１の光ディスクに対応するレジューム情報が格納されていると判定された場合に、前記１の光ディスクからディスク識別情報を読み出す識別情報取得手段と、前記識別情報取得手段によって取得されたディスク識別情報が、前記レジューム情報記憶手段に格納されているディスク識別情報と一致しない場合に、前記第２条件を満たすと判定する第２判定手段と、を備えることを特徴としている。
【００１１】
請求項５に記載の光ディスク再生装置は、請求項２〜請求項４のいずれかに記載の光ディスク再生装置であって、前記破棄条件設定手段が、外部からの操作入力を受け付けて、受け付けられた操作入力に基づいて、前記破棄条件を設定することを特徴としている。
【発明の効果】
【００１２】
請求項１に記載の光ディスク再生装置によれば、再生された光ディスクの再生位置を示す再生位置情報及び光ディスクを識別する情報であるディスク識別情報を含むレジューム情報が載置部毎にレジューム情報記憶手段に格納されており、交換可能な光ディスクに対応するレジューム情報を、予め設定された第１条件を満たす場合に破棄するか、又は、予め設定され、第１条件とは相違する第２条件を満たす場合に破棄するか、を示す破棄条件が設定される。そして、外部からの再生を行う旨の操作入力が受け付けられて、再生を行う旨の操作入力が受け付けられた場合に、予め設定された再生位置に載置されている１の光ディスクの再生が行われる。また、再生を行う旨の操作入力が受け付けられた場合に、１の光ディスクに対応するレジューム情報がレジューム情報記憶手段に格納されているか否かが判定され、レジューム情報が格納されていると判定された場合に、再生処理が開始される前に、設定された条件に従って、レジューム情報が破棄されるため、利便性良好にレジューム再生を行うことができる。
【００１３】
すなわち、ユーザが、第１条件を満たす場合にレジューム情報を破棄するか、又は、第１条件とは相違する第２条件を満たす場合にレジューム情報を破棄するか、を示す破棄条件を設定することができるため、ユーザがレジューム情報を破棄する条件を、予め設定された２つの条件（＝第１条件及び第２条件）から選択することができるので、利便性良好にレジューム再生を行うことができるのである。
【００１４】
また、光ディスクが交換可能位置に載置された時間である交換位置時間が計測され、交換位置時間が予め設定された所定時間以上である場合に、第１条件を満たすと判定されるため、更に利便性良好にレジューム再生を行うことができる。
【００１５】
すなわち、光ディスクが交換可能位置に載置された時間である交換位置時間が計測され、交換位置時間が予め設定された所定時間以上である場合に、第１条件として、光ディスクが交換された可能性がある場合にレジューム情報を破棄するという条件（＝レジューム情報を積極的に破棄する条件）が設定されるので、更に利便性良好にレジューム再生を行うことができるのである。
【００１６】
更に、１の光ディスクに対応するレジューム情報が格納されていると判定された場合に、１の光ディスクからディスク識別情報が読み出され、取得されたディスク識別情報が、レジューム情報記憶手段に格納されているディスク識別情報と一致しない場合に、第２条件を満たすと判定されるため、更に利便性良好にレジューム再生を行うことができる。
【００１７】
すなわち、１の光ディスクに対応するレジューム情報が格納されていると判定された場合に、１の光ディスクからディスク識別情報が読み出され、取得されたディスク識別情報が、レジューム情報記憶手段に格納されているディスク識別情報と一致しない場合に、第２条件を満たすと判定されるため、第２条件として、１の光ディスクからディスク識別情報が読み出されたディスク識別情報がレジューム情報記憶手段に格納されているディスク識別情報と一致しない場合にレジューム情報を破棄するという条件（＝レジューム情報を可能な限り破棄しない条件）が設定されるので、更に利便性良好にレジューム再生を行うことができるのである。
【００１８】
加えて、外部からの操作入力が受け付けられて、受け付けられた操作入力に基づいて、破棄条件が設定されるため、ユーザが破棄条件を設定することができるので、更に利便性良好にレジューム再生を行うことができる。
【００１９】
請求項２に記載の光ディスク再生装置によれば、再生された光ディスクの再生位置を示す再生位置情報及び光ディスクを識別する情報であるディスク識別情報を含むレジューム情報が載置部毎にレジューム情報記憶手段に格納されており、交換可能な光ディスクに対応するレジューム情報を、予め設定された第１条件を満たす場合に破棄するか、又は、予め設定され、第１条件とは相違する第２条件を満たす場合に破棄するか、を示す破棄条件が設定される。そして、外部からの再生を行う旨の操作入力が受け付けられて、再生を行う旨の操作入力が受け付けられた場合に、予め設定された再生位置に載置されている１の光ディスクの再生が行われる。また、再生を行う旨の操作入力が受け付けられた場合に、１の光ディスクに対応するレジューム情報がレジューム情報記憶手段に格納されているか否かが判定され、レジューム情報が格納されていると判定された場合に、再生処理が開始される前に、設定された条件に従って、レジューム情報が破棄されるため、利便性良好にレジューム再生を行うことができる。
【００２０】
すなわち、ユーザが、第１条件を満たす場合にレジューム情報を破棄するか、又は、第１条件とは相違する第２条件を満たす場合にレジューム情報を破棄するか、を示す破棄条件を設定することができるため、ユーザがレジューム情報を破棄する条件を、予め設定された２つの条件（＝第１条件及び第２条件）から選択することができるので、利便性良好にレジューム再生を行うことができるのである。
【００２１】
請求項３に記載の光ディスク再生装置によれば、光ディスクが交換可能位置に載置された時間である交換位置時間が計測され、交換位置時間が予め設定された所定時間以上である場合に、第１条件を満たすと判定されるため、更に利便性良好にレジューム再生を行うことができる。
【００２２】
すなわち、光ディスクが交換可能位置に載置された時間である交換位置時間が計測され、交換位置時間が予め設定された所定時間以上である場合に、第１条件として、光ディスクが交換された可能性がある場合にレジューム情報を破棄するという条件（＝レジューム情報を積極的に破棄する条件）が設定されるので、更に利便性良好にレジューム再生を行うことができるのである。
【００２３】
請求項４に記載の光ディスク再生装置によれば、１の光ディスクに対応するレジューム情報が格納されていると判定された場合に、１の光ディスクからディスク識別情報が読み出され、取得されたディスク識別情報が、レジューム情報記憶手段に格納されているディスク識別情報と一致しない場合に、第２条件を満たすと判定されるため、更に利便性良好にレジューム再生を行うことができる。
【００２４】
すなわち、１の光ディスクに対応するレジューム情報が格納されていると判定された場合に、１の光ディスクからディスク識別情報が読み出され、取得されたディスク識別情報が、レジューム情報記憶手段に格納されているディスク識別情報と一致しない場合に、第２条件を満たすと判定されるため、第２条件として、１の光ディスクからディスク識別情報が読み出されたディスク識別情報がレジューム情報記憶手段に格納されているディスク識別情報と一致しない場合にレジューム情報を破棄するという条件（＝レジューム情報を可能な限り破棄しない条件）が設定されるので、更に利便性良好にレジューム再生を行うことができるのである。
【００２５】
請求項５に記載の光ディスク再生装置によれば、外部からの操作入力が受け付けられて、受け付けられた操作入力に基づいて、破棄条件が設定されるため、ユーザが破棄条件を設定することができるので、更に利便性良好にレジューム再生を行うことができる。
【発明を実施するための最良の形態】
【００２６】
以下に本発明の実施形態を、図面を参照しながら説明する。図１は、本発明に係るディスクプレイヤの外観の一例を示す斜視図である。ディスクプレイヤ１（光ディスク再生装置に相当する）は、ディスクチェンジャ２が配設されている。ディスクチェンジャ２は、光ディスクが載置される複数（ここでは、５個）の載置部２２１（図２、図３参照）を有し、少なくとも１の載置部２２１（ここでは、図３に示す２個の載置部２２１ｃ、２２１ｄ）に載置された光ディスクを交換可能に構成されたものである。
【００２７】
また、ディスクチェンジャ２は、矩形板状のスライドトレイ２１を備え、スライドトレイ２１の上面には、円盤状のロータリートレイ２２が回転自在に支持され、ロータリートレイ２２の上面における所定位置（図の左側）には、チャックアーム２３が取り付けられている。また、ディスクプレイヤ１の前面側にはスライドトレイ２１の排出及び収納、光ディスクの再生等を指示する操作部１７（図４参照）が配設されている。
【００２８】
更に、スライドトレイ２１の下面には、図４を用いて後述する光ピックアップ１１等を搭載したメカホルダ、ロータリートレイ２２を回転駆動するトレイ回転駆動モータ２９、図２を用いて後述するロータリートレイ２２の回転位置を検出する位置検出センサ２７、ロータリートレイ２２の回転を規制するロック機構等が配設されている。更に、ディスクプレイヤ１の内側底部には、シールド構造を介して制御基板が収納されている。
【００２９】
操作部１７は、オープン／クローズボタン１７１、及び、回転ボタン１７２を備えている。オープン／クローズボタン１７１は、スライドトレイ２１を、収納位置（＝光ディスクが再生される場合の位置）から排出位置（＝光ディスクが交換可能な位置）へ、又は、排出位置から収納位置へスライドさせる場合に押下されるボタンである。回転ボタン１７２は、ロータリートレイ２２を１／５回転（＝光ディスクの１個分だけ回転）させる場合に押下されるボタンである。
【００３０】
図２は、ディスクチェンジャ２の機械的構成の一例を示す分解斜視図である。スライドトレイ２１は、前面側へ排出可能に、前後方向にスライド可能に配設され、上面には、略円形状の凹部２１１が設けられる。スライドトレイ２１の中央には支軸２１２が鉛直上方へ立設されている。ロータリートレイ２２は、その上面に周方向に等間隔に光ディスクが載置される載置部２２１を５個有している。なお、載置部２２１は２個以上であればよい。また、ロータリートレイ２２の中央には軸孔２２２が設けられ、軸孔２２２は支軸２１２に挿通されて回動自在に支持される。
【００３１】
また、支軸２１２の上端には、チャックアーム２３の一端が組み付けられ、チャックアーム２３の他端側に設けられた第１チャッキング部２３１をスライドトレイ２１に形成された貫通孔２１３に対向可能としている。一方、貫通孔２１３の下方には、第１チャッキング部２３１との間に光ディスクの回転軸を挟み込み可能な第２チャッキング部２４１、及び、光ディスクから記録データの読み出しを行う光ピックアップ１１（図４参照）等を搭載したメカホルダ２４が配設されている。
【００３２】
メカホルダ２４は、第２チャッキング部２４１及び光ピックアップ１１（図４参照）を貫通孔２１３に対して昇降可能に配設されており、このメカホルダ２４の昇降タイミングを制御するモーションギヤ２５がメカホルダ２４に隣接させつつ、スライドトレイ２１の下面に取り付けられる。また、ロータリートレイ２２の回転位置を検出する位置検出センサ２７が、スライドトレイ２１の下面に取り付けられる。
【００３３】
図３は、ロータリートレイ２２を排出した状態（＝光ディスクを交換可能な状態）のディスクプレイヤ１の平面図である。操作部１７のオープン／クローズボタン１７１が押下されると、ロータリートレイ２２がスライドトレイ２１と共に排出される。このとき、ロータリートレイ２２は隣接した２つの載置部（図３では載置部２２１ｃと２２１ｄ）が光ディスクを交換できる位置まで排出される。また、ロータリートレイ２２が排出された状態において、操作部１７の回転ボタン１７２が１回押下される毎にロータリートレイ２２は、左向き又は右向きに５分の１回転するように制御されている。これにより、所望の光ディスクを交換可能な位置に移動させることができる。
【００３４】
ここで、レジューム再生に関して説明する。レジューム再生とは、１の光ディスクの再生を途中で停止し、他の光ディスクを再生した（又は、他の光ディスクに交換した）後に、前記１の光ディスクを、前回再生を停止した位置から再生させる機能である。
【００３５】
図４は、ディスクプレイヤ１の電気的構成の一例を示す構成図である。図に示すように、ディスクプレイヤ１は、光ピックアップ１１、出力装置１３、制御装置１４、駆動装置１５、表示部１６及び操作部１７を備えている。
【００３６】
光ピックアップ１１（識別情報取得手段の一部に相当する）は、ＣＤ用ＬＤ（Ｌａｓｅｒ  Ｄｉｏｄｅ）及びＤＶＤ用ＬＤを備え、再生する対象の光ディスク１２（ＣＤ又はＤＶＤ）からの反射光を電気信号に変換し、光ディスク１２（ＣＤ、又は、ＤＶＤ）に格納された音声情報、映像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。
【００３７】
また、光ピックアップ１１は、送りモータ１５１によって、光ディスク１２の径方向、及び、垂直方向（近接、離間方向）に移動可能に構成されている。
【００３８】
出力装置１３は、光ピックアップ１１からの音声情報、映像情報等の情報を、音声及び画像に変換して、それぞれ、図略のスピーカ及びディスプレイ３に出力するものであって、ＲＦアンプ１３１、ＤＳＰ（Ｄｉｇｉｔａｌ  Ｓｉｇｎａｌ  Ｐｒｏｃｅｓｓｏｒ）１３２、再生処理回路１３３、及び、出力回路１３４を備えている。
【００３９】
ＲＦアンプ１３１（識別情報取得手段の一部に相当する）は、光ピックアップ１１からの音声情報、映像情報等に対応する信号を増幅してＤＳＰ１３２に出力するものである。
【００４０】
ＤＳＰ１３２及び再生処理回路１３３は、ＲＦアンプ１３１からの信号に対して、再生のための各種情報処理（例えばデコード処理、画像処理等）を施すものである。出力回路１３４は、再生処理回路１３３からの情報を、図略のスピーカ及びディスプレイ３に出力するためにＤＡ変換処理等を行うものである。ディスプレイ３は、ＬＣＤ（Ｌｉｑｕｉｄ  Ｃｒｙｓｔａｌ  Ｄｉｓｐｌａｙ）等を備え、出力回路１３４からの映像情報を外部から視認可能に表示するものである。
【００４１】
制御装置１４は、操作部１７を介して受け付けた指示操作に基づいて、光ピックアップ１１及び駆動装置１５の動作を制御するものであって、システムコントローラ１４１、及びドライバＩＣ１４２を備えている。システムコントローラ１４１は、操作部１７からの情報を受け付けてＤＳＰ１３２に伝送すると共に、ＤＳＰ１３２からの情報を表示部１６に伝送するものである。
【００４２】
ドライバＩＣ１４２は、ＤＳＰ１３２からの指示に基づいて、光ピックアップ１１及び駆動装置１５の動作を制御するものである。具体的には、ドライバＩＣ１４２は、光ピックアップ１１に配設されたＣＤ用ＬＤ及びＤＶＤ用ＬＤの動作を制御すると共に、駆動装置１５を構成する送りモータ１５１及びスピンドルモータ１５２の動作を制御するものである。また、ドライバＩＣ１４２は、ディスクチェンジャ２に配設されたトレイ開閉モータ２８、及び、トレイ回転モータ２９の動作を制御するものである。
【００４３】
ここで、トレイ開閉モータ２８は、ディスクチェンジャ２に配設されたスライドトレイ２１（図１、図２参照）を開閉駆動する（＝収納位置、排出位置との間をスライド駆動する）ものであって、トレイ回転モータ２９は、ディスクチェンジャ２に配設されたロータリートレイ２２（図１、図２参照）を回転駆動するものである。
【００４４】
駆動装置１５は、送りモータ１５１及びスピンドルモータ１５２を備えている。送りモータ１５１は、ドライバＩＣ１４２からの指示に基づいて光ピックアップ１１を光ディスク１２の径方向及び垂直方向に移動させるものである。スピンドルモータ１５２は、ドライバＩＣ１４２からの指示に基づいて光ディスク１２を回転駆動するものである。
【００４５】
表示部１６は、ＬＣＤ等を備え、ＤＳＰ１３２からの情報を外部から視認可能に表示するものである。操作部１７（破棄条件設定手段の一部、再生実行手段の一部に相当する）は、図１に示すオープン／クローズボタン１７１、及び、回転ボタン１７２等の種々の操作ボタン等を備え、ユーザからの操作を受け付けて、ＤＳＰ１３２に対応する操作信号を出力するものである。
【００４６】
図５は、本発明に係るディスクプレイヤ１における主要部の構成の一例を示す機能構成図である。ＤＳＰ３２は、ＭＰＵ（Ｍｉｃｒｏ  Ｐｒｏｃｅｓｓｉｎｇ  Ｕｎｉｔ）４、ＲＡＭ（Ｒａｎｄｏｍ  Ａｃｃｅｓｓ  Ｍｅｍｏｒｙ）５、及び、図略のＲＯＭ（Ｒｅａｄ  Ｏｎｌｙ  Ｍｅｍｏｒｙ）を備えている。ＭＰＵ４は、機能的に、破棄条件設定部４１、再生受付部４２、有無判定部４３、時間計測部４４、第１判定部４５、破棄実行部４６、再生実行部４７、識別情報取得部４８、及び、第２判定部４９を備え、ＲＡＭ５は、機能的に、破棄条件記憶部５１、レジューム情報記憶部５２、及び、交換位置時間記憶部５３を備えている。
【００４７】
ここでは、ＭＰＵ４が、図略のＲＯＭ等に予め格納されたプログラムを読み出して実行することにより、破棄条件設定部４１、再生受付部４２、有無判定部４３、時間計測部４４、第１判定部４５、破棄実行部４６、再生実行部４７、識別情報取得部４８、第２判定部４９等の機能部として機能すると共に、ＲＡＭ５を、破棄条件記憶部５１、レジューム情報記憶部５２、交換位置時間記憶部５３等の機能部として機能させるものである。
【００４８】
また、ＲＡＭ５又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４９】
破棄条件記憶部５１は、破棄条件設定部４１によって設定された破棄条件を格納するものである。具体的には、破棄条件記憶部５１は、レジューム情報記憶部５２に格納されたレジューム情報を破棄する条件として、後述する「第１条件」又は「第２条件」を格納するものである。
【００５０】
レジューム情報記憶部５２（レジューム情報記憶手段に相当する）は、再生された光ディスク１２の再生位置を示す再生位置情報及び光ディスク１２を識別する情報であるディスク識別情報（例えば、光ディスク１２がＣＤの場合は、ＴＯＣ（Ｔａｂｌｅ  Ｏｆ  Ｃｏｎｔｅｎｔｓ）情報、ＤＶＤの場合は、ディスクＩＤを用いることができる）を含むレジューム情報を、図２に示す載置部２２１毎に格納するものである。ここでは、レジューム情報として、更に、光ディスク１２のタイトル名称情報、チャプタ情報、録画（又は録音）時間情報等を格納するものである。また、レジューム情報記憶部５２に格納されるレジューム情報は、再生実行部４７によって取得され、破棄実行部４６によって破棄されるものである。
【００５１】
交換位置時間記憶部５３は、時間計測部４４によって測定され、光ディスク１２が交換可能位置に載置された時間である交換位置時間を、図２に示す載置部２２１毎に格納するものである。
【００５２】
破棄条件設定部４１（破棄条件設定手段の一部に相当する）は、操作部１７を介してユーザからの操作入力を受け付けて、受け付けられた操作入力に基づいて、交換可能な光ディスク１２に対応するレジューム情報を、予め設定された第１条件を満たす場合に破棄するか、又は、予め設定され、第１条件とは相違する第２条件を満たす場合に破棄するか、を示す破棄条件を設定するものである。ここで、「第１条件」は、第１判定部４５によって判定される条件であり、「第２条件」は、第２判定部４９によって判定される条件である。
【００５３】
再生受付部４２（再生実行手段の一部に相当する）は、操作部１７を介してユーザからの再生を行う旨の操作入力（例えば、操作部１７に配設された再生ボタンの押下）を受け付けるものである。
【００５４】
有無判定部４３（有無判定手段に相当する）は、再生受付部４２によって再生を行う旨の操作入力が受け付けられた場合に、再生位置に載置されている（例えば、図３の載置部２２１ａに載置されている）１の光ディスクに対応するレジューム情報がレジューム情報記憶部５２に格納されているか否かを判定するものである。
【００５５】
時間計測部４４（時間計測手段に相当する）は、光ディスク１２が交換可能位置に載置された時間である交換位置時間を計測するものである。具体的には、時間計測部４４は、図３に示すロータリートレイ２２を排出した状態で、載置部２２１ｃ（又は載置部２２１ｄ）に載置されている時間を計測するものである。
【００５６】
すなわち、時間計測部４４は、図１に示すオープン／クローズボタン１７１が押下されて、ロータリートレイ２２が排出された状態とされてから、再度オープン／クローズボタン１７１が押下されて、ロータリートレイ２２が収納された状態とされるか、又は、図１に示す回転ボタン１７２が押下されて交換可能位置ではなくなるまでの時間を計測するものである。
【００５７】
第１判定部４５（第１判定手段に相当する）は、時間計測部４４によって計測された交換位置時間が予め設定された所定時間（例えば、３秒間）以上である場合に、第１条件を満たすと判定するものである。すなわち、第１判定部４５は、第１条件として、光ディスク１２が交換可能位置に載置された時間である交換位置時間が所定時間（例えば、３秒間）以上であるとの条件（＝レジューム情報を積極的に破棄する条件）を設定し、第１条件を満たすか否かを判定するものである。
【００５８】
破棄実行部４６（破棄実行手段に相当する）は、有無判定部４３によってレジューム情報が格納されていると判定された場合に、再生実行部４７によって再生処理が開始される前に、破棄条件設定部４１によって設定された条件に従って、ものである。
【００５９】
再生実行部４７（再生実行手段の一部に相当する）は、再生受付部４２によって、再生を行う旨の操作入力が受け付けられた場合に、予め設定された再生位置に載置されている（例えば、図３の載置部２２１ａに載置されている）１の光ディスクの再生を行うものである。なお、再生実行部４７は、１の光ディスクに対応するレジューム情報が破棄実行部４６によって破棄されていない場合には、レジューム再生を行い、１の光ディスクに対応するレジューム情報が破棄実行部４６によって破棄された場合又はレジューム情報がレジューム情報記憶部５２に格納されていない場合には、最初から再生処理を行うものである。更に、再生実行部４７は、再生中に、操作部１７に配設された停止ボタン等が押下されて停止された場合に、レジューム情報を取得し、載置部２２１に対応付けてレジューム情報記憶部５２に格納するものである。
【００６０】
識別情報取得部４８（識別情報取得手段の一部に相当する）は、有無判定部４３によって、予め設定された再生位置（例えば、図３の載置部２２１ａに載置されている）に載置されている１の光ディスクに対応するレジューム情報が格納されていると判定された場合に、１の光ディスクからディスク識別情報を読み出すものである。
【００６１】
第２判定部４９（第２判定手段に相当する）は、識別情報取得部４８によって取得されたディスク識別情報が、レジューム情報記憶部５２に格納されているディスク識別情報と一致しない場合に、第２条件を満たすと判定するものである。すなわち、第２判定部４９は、第２条件として、識別情報取得部４８によって取得されたディスク識別情報が、レジューム情報記憶部５２に格納されているディスク識別情報と一致しないとの条件（＝レジューム情報を可能な限り利用する条件）を設定し、第２条件を満たすか否かを判定するものである。なお、ここでは、第２判定部４９は、第１判定部４５によって交換位置時間が予め設定された所定時間（例えば、３秒間）以上であると判定された場合に、第２条件を満たすか否かを判定するものである。
【００６２】
図６は、本発明に係るディスクプレイヤ１（主にＭＰＵ４）の光ディスク交換処理の一例を示すフローチャートである。まず、時間計測部４４によって、図１に示すオープン／クローズボタン１７１が押下されたか否かが判定される（Ｓ１０１）。オープン／クローズボタン１７１が押下されていないと判定された場合（Ｓ１０１でＮＯ）には、処理が終了される。オープン／クローズボタン１７１が押下されたと判定された場合（Ｓ１０１でＹＥＳ）には、ドライバＩＣ１４２によってトレイ開閉モータ２８が駆動され、ロータリートレイ２２が排出される（Ｓ１０３）。そして、時間計測部４４によって、交換位置時間が計測され、図２に示す載置部２２１毎に交換位置時間記憶部５３に格納される（Ｓ１０５）。
【００６３】
次に、時間計測部４４によって、図１に示す回転ボタン１７２が押下されたか否かが判定される（Ｓ１０７）。回転ボタン１７２が押下されたと判定された場合（Ｓ１０７でＹＥＳ）には、ドライバＩＣ１４２によってロータリートレイ２２が１／５回転だけ回転され（Ｓ１０９）、処理がステップＳ１０５に戻され、ステップＳ１０５以降の処理が、繰り返し実行される。回転ボタン１７２が押下されていないと判定された場合（Ｓ１０７でＮＯ）には、時間計測部４４によって、図１に示すオープン／クローズボタン１７１が押下されたか否かが判定される（Ｓ１１１）。オープン／クローズボタン１７１が押下されていないと判定された場合（Ｓ１１１でＮＯ）には、処理がステップＳ１０５に戻され、ステップＳ１０５以降の処理が、繰り返し実行される。オープン／クローズボタン１７１が押下されたと判定された場合（Ｓ１１１でＮＯ）には、ドライバＩＣ１４２によってトレイ開閉モータ２８が駆動され、ロータリートレイ２２が収納され（Ｓ１１３）、処理が終了される。
【００６４】
図７は、本発明に係るディスクプレイヤ１（主にＭＰＵ４）の再生処理の一例を示すフローチャートである。なお、ここでは、便宜上、破棄条件設定部４１によって予め破棄条件が設定され、破棄条件記憶部５１に格納されている場合について説明する。まず、再生受付部４２によって、再生を行う旨の操作入力が受け付けられたか否かの判定が行われる（Ｓ２０１）。再生を行う旨の操作入力が受け付けられていないと判定された場合（Ｓ２０１でＮＯ）には、処理が終了される。再生を行う旨の操作入力が受け付けられたと判定された場合（Ｓ２０１でＹＥＳ）には、破棄実行部４６によって、破棄条件記憶部５１によって第１条件が設定されているか否かの判定が行われる（Ｓ２０３）。
【００６５】
ここでは、破棄条件として第１条件が設定されている場合に実行される再生処理を「再生処理Ａ」といい、第２条件が設定されている場合の再生処理を「再生処理Ｂ」という。第１条件が設定されていると判定された場合（Ｓ２０３でＹＥＳ）には、再生実行部４７等によって再生処理Ａが実行され（Ｓ２０５）、処理が終了される。第１条件が設定されていない（＝第２条件が設定されている）と判定された場合（Ｓ２０３でＮＯ）には、再生実行部４７等によって再生処理Ｂが実行され（Ｓ２０７）、処理が終了される。
【００６６】
図８は、図７に示すフローチャートのステップＳ２０５において実行される再生処理Ａの一例を示す詳細フローチャートである。まず、有無判定部４３によって再生位置に載置されている（例えば、図３の載置部２２１ａに載置されている）１の光ディスクに対応するレジューム情報がレジューム情報記憶部５２に格納されているか否かの判定が行われる（Ｓ３０１）。レジューム情報が格納されていないと判定された場合（Ｓ３０１でＮＯ）には、処理がステップＳ３０９に進められる。レジューム情報が格納されていると判定された場合（Ｓ３０１でＹＥＳ）には、第１判定部４５によって、再生位置の載置部２２１に対応する交換位置時間が予め設定された所定時間（ここでは、３秒間）以上であるか否かの判定が行われる（Ｓ３０３）。
【００６７】
３秒以上ではない（＝３秒未満である）と判定された場合（Ｓ３０３でＮＯ）には、再生実行部４７によって、レジューム再生が行われ（Ｓ３０５）、処理がステップＳ３１１に進められる。３秒以上であると判定された場合（Ｓ３０３でＹＥＳ）には、破棄実行部４６によって、レジューム情報記憶部５２に格納されたレジューム情報が破棄される（Ｓ３０７）。ステップＳ３０７の処理が終了した場合、又は、ステップＳ３０１でＮＯの場合には、最初から再生処理が行われ（Ｓ３０９）、処理がステップＳ３１１に進められる。ステップＳ３０５の処理が終了した場合、又は、ステップＳ３０９の処理が終了した場合には、再生実行部４７によってレジューム情報取得処理が行われ（Ｓ３１１）、処理がリターンされる。
【００６８】
図９は、図７に示すフローチャートのステップＳ２０７において実行される再生処理Ｂの一例を示す詳細フローチャートである。まず、有無判定部４３によって再生位置に載置されている（例えば、図３の載置部２２１ａに載置されている）１の光ディスクに対応するレジューム情報がレジューム情報記憶部５２に格納されているか否かの判定が行われる（Ｓ４０１）。レジューム情報が格納されていないと判定された場合（Ｓ４０１でＮＯ）には、処理がステップＳ４１１に進められる。レジューム情報が格納されていると判定された場合（Ｓ４０１でＹＥＳ）には、第１判定部４５によって、再生位置の載置部２２１に対応する交換位置時間が予め設定された所定時間（ここでは、３秒間）以上であるか否かの判定が行われる（Ｓ４０３）。
【００６９】
３秒以上ではない（＝３秒未満である）と判定された場合（Ｓ４０３でＮＯ）には、再生実行部４７によって、レジューム再生が行われ（Ｓ４０５）、処理がステップＳ４１３に進められる。３秒以上であると判定された場合（Ｓ４０３でＹＥＳ）には、識別情報取得部４８によってディスク識別情報が取得され、第２判定部４９によって、取得されたディスク識別情報がレジューム情報記憶部５２に格納されているディスク識別情報と一致するか否かの判定が行われる（Ｓ４０７）。一致すると判定された場合（Ｓ４０７でＹＥＳ）には、再生実行部４７によって、レジューム再生が行われ（Ｓ４０５）、処理がステップＳ４１３に進められる。
【００７０】
一致しないと判定された場合（Ｓ４０７でＮＯ）には、破棄実行部４６によって、レジューム情報記憶部５２に格納されたレジューム情報が破棄される（Ｓ４０９）。ステップＳ４０９の処理が終了した場合、又は、ステップＳ４０１でＮＯの場合には、最初から再生処理が行われ（Ｓ４１１）、処理がステップＳ４１３に進められる。ステップＳ４０５の処理が終了した場合、又は、ステップＳ４１１の処理が終了した場合には、再生実行部４７によってレジューム情報取得処理が行われ（Ｓ４１３）、処理がリターンされる。
【００７１】
図１０は、図８に示すフローチャートのステップＳ３１１、及び、図９に示すフローチャートのステップＳ４１３において実行されるレジューム情報取得処理の一例を示す詳細フローチャートである。まず、再生実行部４７によって、操作部１７に配設された停止ボタン等が押下されて停止されたか否かの判定が行われる（Ｓ５０１）。停止されていないと判定された場合（Ｓ５０１でＮＯ）には、再生実行部４７によって、再生処理が終了したか否かの判定が行われる（Ｓ５０３）。再生処理が終了していないと判定された場合（Ｓ５０３でＮＯ）には、処理がステップＳ５０１に戻され、ステップＳ５０１以降の処理が繰り返し実行される。
【００７２】
ステップＳ５０１でＹＥＳの場合、又は、ステップ５０３でＹＥＳの場合には、再生実行部４７によって、レジューム情報を取得され（Ｓ５０５）、載置部２２１に対応付けてレジューム情報記憶部５２に格納され（Ｓ５０７）、処理がリターンされる。
【００７３】
このようにして、再生された光ディスク１２の再生位置を示す再生位置情報及び光ディスクを識別する情報であるディスク識別情報を含むレジューム情報が載置部２２１毎にレジューム情報記憶部５２に格納されており、交換可能な光ディスク１２に対応するレジューム情報を、予め設定された第１条件を満たす場合に破棄するか、又は、予め設定され、第１条件とは相違する第２条件を満たす場合に破棄するか、を示す破棄条件が設定される。そして、操作部１７を介してユーザからの再生を行う旨の操作入力が受け付けられて、再生を行う旨の操作入力が受け付けられた場合に、予め設定された再生位置（例えば、図３の載置部２２１ａに載置されている）に載置されている１の光ディスクの再生が行われる。また、再生を行う旨の操作入力が受け付けられた場合に、１の光ディスクに対応するレジューム情報がレジューム情報記憶部５２に格納されているか否かが判定され、レジューム情報が格納されていると判定された場合に、再生処理が開始される前に、設定された条件に従って、レジューム情報が破棄されるため、利便性良好にレジューム再生を行うことができる。
【００７４】
すなわち、ユーザが、第１条件を満たす場合にレジューム情報を破棄するか、又は、第１条件とは相違する第２条件を満たす場合にレジューム情報を破棄するか、を示す破棄条件を設定することができるため、ユーザがレジューム情報を破棄する条件を、予め設定された２つの条件（＝第１条件及び第２条件）から選択することができるので、利便性良好にレジューム再生を行うことができるのである。
【００７５】
また、光ディスク１２が交換可能位置に載置された時間である交換位置時間が計測され、交換位置時間が予め設定された所定時間（ここでは、３秒）以上である場合に、第１条件を満たすと判定されるため、更に利便性良好にレジューム再生を行うことができる。
【００７６】
すなわち、光ディスク１２が交換可能位置（図３に示す載置部２２１ｃ、又は、載置部２２１ｄ）に載置された時間である交換位置時間が計測され、交換位置時間が予め設定された所定時間（ここでは、３秒）以上である場合に、第１条件として、光ディスク１２が交換された可能性がある場合にレジューム情報を破棄するという条件（＝レジューム情報を積極的に破棄する条件）が設定されるので、更に利便性良好にレジューム再生を行うことができるのである。
【００７７】
更に、１の光ディスク１２に対応するレジューム情報が格納されていると判定された場合に、１の光ディスクからディスク識別情報が読み出され、取得されたディスク識別情報が、レジューム情報記憶部５２に格納されているディスク識別情報と一致しない場合に、第２条件を満たすと判定されるため、更に利便性良好にレジューム再生を行うことができる。
【００７８】
すなわち、１の光ディスク１２に対応するレジューム情報が格納されていると判定された場合に、１の光ディスク１２からディスク識別情報が読み出され、取得されたディスク識別情報が、レジューム情報記憶部５２に格納されているディスク識別情報と一致しない場合に、第２条件を満たすと判定されるため、第２条件として、１の光ディスク１２からディスク識別情報が読み出されたディスク識別情報がレジューム情報記憶部５２に格納されているディスク識別情報と一致しない場合にレジューム情報を破棄するという条件（＝レジューム情報を可能な限り破棄しない条件）が設定されるので、更に利便性良好にレジューム再生を行うことができるのである。
【００７９】
加えて、操作部１７を介してユーザからの操作入力が受け付けられて、受け付けられた操作入力に基づいて、破棄条件が設定されるため、ユーザが破棄条件を設定することができるので、更に利便性良好にレジューム再生を行うことができる。
【００８０】
なお、本発明は、以下の形態にも適用可能である。
（Ａ）本実施形態では、ディスクチェンジャ２がいわゆるロータリータイプのディスクチェンジャである場合について説明したが、その他のタイプ（例えば、全てのディスクを同時に交換可能ないわゆるカセットタイプ）のディスクチェンジャである形態でもよい。
【００８１】
（Ｂ）本実施形態では、破棄条件設定部４１が２つの条件（＝第１条件、第２条件）の中から１の破棄条件を設定する場合について説明したが、破棄条件設定部４１が３以上の条件の中から１の破棄条件を設定する形態でもよい。この場合には、更に利便性を向上することができる。
【００８２】
（Ｃ）本実施形態では、「第１条件」が、光ディスク１２が交換可能位置に載置された時間である交換位置時間が所定時間（例えば、３秒間）以上であるとの条件である場合について説明したが、「第１条件」が、交換位置時間に拘わらず単に光ディスク１２が交換可能位置に載置されたとの条件である形態でもよい。この場合には、処理が簡略化される。
【００８３】
（Ｄ）本実施形態では、「第２条件」が、識別情報取得部４８によって取得されたディスク識別情報が、レジューム情報記憶部５２に格納されているディスク識別情報と一致しないとの条件である場合について説明したが、その他の条件（例えば、再生位置に載置されている１の光ディスク１２のタイトル名称情報が、レジューム情報記憶部５２に格納されているタイトル名称情報と一致しないとの条件）である形態でもよい。
【００８４】
（Ｅ）本実施形態では、ＭＰＵ４が、破棄条件設定部４１、再生受付部４２、有無判定部４３、時間計測部４４、第１判定部４５、破棄実行部４６、再生実行部４７、識別情報取得部４８、及び、第２判定部４９として機能する場合について説明したが、少なくとも１の機能部が回路等のハードウェアによって実現されている形態でもよい。
【図面の簡単な説明】
【００８５】
【図１】は、本発明に係るディスクプレイヤの外観の一例を示す斜視図である。
【図２】は、ディスクチェンジャの機械的構成の一例を示す分解斜視図である。
【図３】は、ロータリートレイを排出した状態（＝光ディスクを交換可能な状態）のディスクプレイヤの平面図である。
【図４】は、ディスクプレイヤの電気的構成の一例を示す構成図である。
【図５】は、本発明に係るディスクプレイヤにおける主要部の構成の一例を示す機能構成図である。
【図６】は、本発明に係るディスクプレイヤ（主にＭＰＵ）の光ディスク交換処理の一例を示すフローチャートである。
【図７】は、本発明に係るディスクプレイヤ１（主にＭＰＵ）の再生処理の一例を示すフローチャートである。
【図８】は、図７に示すフローチャートのステップＳ２０５において実行される再生処理Ａの一例を示す詳細フローチャートである。
【図９】は、図７に示すフローチャートのステップＳ２０７において実行される再生処理Ｂの一例を示す詳細フローチャートである。
【図１０】は、図８に示すフローチャートのステップＳ３１１、及び、図９に示すフローチャートのステップＳ４１３において実行されるレジューム情報取得処理の一例を示す詳細フローチャートである。
【符号の説明】
【００８６】
１    ディスクプレイヤ（光ディスク再生装置）
１１    光ピックアップ（識別情報取得手段の一部）
１３１    ＲＦアンプ（識別情報取得手段の一部）
１２    光ディスク
１７    操作部（破棄条件設定手段の一部、再生実行手段の一部）
２    ディスクチェンジャ
２１    スライドトレイ
２２    ロータリートレイ
２２１    載置部
４    ＭＰＵ
４１    破棄条件設定部（破棄条件設定手段の一部）
４２    再生受付部（再生実行手段の一部）
４３    有無判定部（有無判定手段）
４４    時間計測部（時間計測手段）
４５    第１判定部（第１判定手段）
４６    破棄実行部（破棄実行手段）
４７    再生実行部（再生実行手段の一部）
４８    識別情報取得部（識別情報取得手段の一部）
４９    第２判定部（第２判定手段）
５    ＲＡＭ
５１    破棄条件記憶部
５２    レジューム情報記憶部（レジューム情報記憶手段）
５３    交換位置時間記憶部
【図１】
2008226344.tif 000003
【図２】
2008226344.tif 000004
【図３】
2008226344.tif 000005
【図４】
2008226344.tif 000006
【図５】
2008226344.tif 000007
【図６】
2008226344.tif 000008
【図７】
2008226344.tif 000009
【図８】
2008226344.tif 000010
【図９】
2008226344.tif 000011
【図１０】
2008226344.tif 000012